【事件の表示】
　特願２０１４−２１２１００号「遊技機」拒絶査定不服審判事件〔平成２８年５月１６日出願公開、特開２０１６−７７５４６号〕について、次のとおり審決する。
【結　論】
　本件審判の請求は、成り立たない。
【理　由】
第１　手続の経緯 
　本願は、平成２６年１０月１６日の出願であって、平成２９年１月２０日付けの拒絶理由の通知に対し、同年３月２７日に意見書が提出されるとともに手続補正がなされたが、同年５月２５日付け（発送日：同年５月３０日）で拒絶査定がなされ、これに対して同年８月２２日に審判の請求がなされると同時に手続補正（以下「本件補正」という。）がなされたものである。  
第２　本件補正についての補正の却下の決定 
［補正の却下の決定の結論］ 
　本件補正を却下する。 
［理由］ 
１　本件補正について（補正の内容） 
　本件補正は特許請求の範囲の請求項１の記載の補正を含むものであり、本件補正前の平成２９年３月２７日にされた手続補正の特許請求の範囲の請求項１の記載と本件補正後の特許請求の範囲の請求項１の記載は、それぞれ以下のとおりである（下線部は補正箇所を示す。また、Ａ〜Ｉについては発明を分説するため当審で付与した。）。 
（本件補正前） 
「【請求項１】 
　識別情報の可変表示が実行される可変表示領域を複数有する可変表示手段を備え、識別情報の組合せとして特定の組合せが表示されたときに、遊技者にとって有利な有利状態に制御可能な遊技機であって、
　演出音を出力可能な演出音出力部と、
　遊技者の動作を検出する検出手段と、
　前記演出音出力部から出力する演出音の音量を設定する音量設定手段と、
　前記音量設定手段により設定される音量を前記検出手段による検出に基づいて段階的に変更可能な音量変更手段と、
　前記検出手段による検出がなされたときに、該検出後に前記音量設定手段により設定される音量に対応する確認音を前記演出音出力部から出力する確認音出力手段と、
　を備え、
　前記音量設定手段は所定範囲内において音量を設定可能であり、
　前記確認音出力手段は、前記音量設定手段により設定される音量が所定範囲の限界にある場合において、当該音量を所定範囲外へ変更する動作が検出されたときには所定範囲の限界の音量に対応した確認音を出力し、
　前記複数の可変表示領域のうち第１領域における停止表示と第２領域における停止表示とは異なる対象に対する報知が可能である、
　ことを特徴とする遊技機。」 
（本件補正後）  
「【請求項１】 
Ａ　識別情報の可変表示が実行される可変表示領域を複数有する可変表示手段を備え、識別情報の組合せとして特定の組合せが表示されたときに、遊技者にとって有利な有利状態に制御可能な遊技機であって、
Ｂ　演出音を出力可能な演出音出力部と、
Ｃ　遊技者の動作を検出する検出手段と、
Ｄ　前記演出音出力部から出力する演出音の音量を設定する音量設定手段と、
Ｅ　前記音量設定手段により設定される音量を前記検出手段による検出に基づいて段階的に変更可能な音量変更手段と、
Ｆ　前記検出手段による検出がなされたときに、該検出後に前記音量設定手段により設定される音量に対応する確認音を前記演出音出力部から出力する確認音出力手段と、
　を備え、
Ｇ　前記音量設定手段は所定範囲内において音量を設定可能であり、
Ｈ　前記確認音出力手段は、前記音量設定手段により設定される音量が所定範囲の限界にある場合において、当該音量を所定範囲外へ変更する動作が検出されたときには所定範囲の限界の音量に対応した確認音を出力し、
Ｉ　前記複数の可変表示領域のうち第１領域における停止表示
によりリーチ状態に制御されるか否かを報知し、
により前記有利状態に制御されるか否かを報知すること
　　ことを特徴とする遊技機。」 
２　補正の適否　　 
　本件補正は、補正前の請求項１に記載された発明特定事項である「前記複数の可変表示領域のうち第１領域における停止表示」と「第２領域における停止表示」とが「可能」な「報知」に関して、「第１領域における停止表示と第２領域における停止表示とは異なる対象に対する報知が可能」なものから、「第１領域における停止表示によりリーチ状態に制御されるか否かを報知し、第２領域における停止表示により前記有利状態に制御されるか否かを報知することが可能」なものへ、下位概念化したものである。
　また、補正前の請求項１に記載された発明と補正後の請求項１に記載された発明とは、産業上の利用分野及び解決しようとする課題が同一である。
　そうすると、本件補正は、特許法第１７条の２第５項第２号に規定する「特許請求の範囲の減縮」を目的とするものに該当する。
　そして、本件補正は、明細書の段落【０２０３】の記載に基づいており、新規事項を追加するものではない。 
　そこで、本件補正後の請求項１に記載された発明（以下「本願補正発明」という。）が特許法第１７条の２第６項において準用する同法第１２６条第７項の規定に適合するか（特許出願の際独立して特許を受けることができるものであるか）について、以下、検討する。 
（１）本願補正発明 
　本願補正発明は、前記１（本件補正後）に記載したとおりのものである。
（２）引用文献に記載された事項 
　原査定の拒絶の理由で引用された本願の出願前に頒布された刊行物である特開２００７−８９６４９号公報（以下「引用文献」という。）には、図面と共に次の事項が記載されている（下線は当審で付した。）。 
「【００３３】
手段１３．
　上記の手段８〜１２の遊技機において、
　
前記音量告知手段が、前記入力情報検知手段の前記入力情報に基づいて、候補音声信号を生成する
前記入力情報検知手段の前記入力情報に基づいて、前記選択音量系統群に対応する前記候補音量情報を参照して候補音量信号を生成する
　
前記音響装置が、前記候補音声信号に応じた音声を前記候補音量信号に応じた音量で出力する
　上記の構成であれば、具体的な音量を音響装置の鳴動で告知するために、遊技者可変の音量系統の音量を所望の音量に簡便に調節することができる。選択される頻度の小さい音響コマンド（音響情報）に対応する音量系統が遊技者可変の音量系統群に含まれている場合には、表示装置によって候補音量情報を告知すれば、その音量系統に対する音量が、所望の音量に調節できたかを具体的な音量によって判断するまでに多大な時間を要する。しかし、上記の構成であれば、このような音量系統が含まれる場合であっても、遊技者可変の音量系統の音量を確実に所望の音量に調節できる。」
「【００４５】
（パチンコ機正面側の構成）
　図１は
パチンコ機１０
「【００６１】
　上記装飾図柄表示装置４２は液晶表示装置として構成されており、後述する表示制御装置により表示内容が制御される。
装飾図柄表示装置４２
上、中、及び下の３箇所に識別情報としての図柄が表示される
これら図柄がスクロールされて装飾図柄表示装置４２に可変表示される
「【００６３】
　上記可変入賞装置３２は、通常は遊技球が入賞できない又は入賞し難い閉状態になっており、大当たりの際に遊技球が入賞しやすい開状態と通常の閉状態とに繰り返し作動されるようになっている。より詳しくは、特別図柄表示装置３８が特定の表示態様となった場合（
装飾図柄表示装置４２の停止後の確定図柄が予め設定した特定の図柄の組み合せとなった場合
に、特別遊技状態が発生する
「【０１０５】
　次いで、装飾図柄表示装置４２の表示内容について説明する。装飾図柄表示装置４２の表示画面には、例えば、図７に示すように、上段・中段・下段に区分けされた３つの表示領域に３つの装飾図柄列Ｚ１〜Ｚ３が表示される。これら装飾図柄列Ｚ１〜Ｚ３は、右から左にスクロール表示される。装飾図柄は、例えば「１」〜「９」の数字からなる主図柄と、主図柄より小さい副図柄とにより構成され、これら各主図柄および副図柄によって装飾図柄の図柄列が形成される。装飾図柄で形成される各図柄列では、数字の昇順又は降順に主図柄が配列されると共に各主図柄の間にそれぞれ副図柄が配列されている。始動口３３への入賞すなわち始動入賞が発生すると、装飾図柄の変動表示が行われ、変動パターンに応じた一定時間の経過後に変動表示が停止し、装飾図柄表示装置４２には縦３×横３の９個の装飾図柄が表示結果として表示される。
大当たり抽選に当選した変動表示においては、９個の装飾図柄のうち垂直方向又は斜め方向の一直線上に同一の主図柄が３つ揃って停止するように表示制御装置４５により制御が行われ、遊技者に大当たりの発生が示される
「【０１１４】
　ここで、
リーチ
装飾図柄表示装置４２
の表示画面に表示される装飾図柄が変動表示を開始した後、先に停留する図柄の組み合せが同一図柄
であって大当たりの条件を満たしており、変動表示が続いている図柄の表示結果如何によっては大当たりとなることを遊技者に示唆して大当たりの図柄の組み合せを遊技者に期待させる表示であり
「【０２０６】
　音量情報保持手段（ＲＯＭ５５１（図６参照）の一部の領域）は、音量系統の種類ごとに少なくとも１種類の音量情報を含む全ての音量情報（音量情報群）を保持している。具体的には、本形態では、図３１に示されたように、第１の音量系統〜第５の音量系統の各々に対して設定音量情報として選択できる音量値（音量情報）の上限、下限及び間隔（ステップ）に関する情報を保持している。なお、この場合には、音量情報群が、第１の音量系統〜第４の音量系統の各々に対する８種類の音量値（「０」，「１」，「２」，「３」，「４」，「５」，「６」，「７」）を有し、かつ、第５の音量系統に対応する１種類の音量値（「８」）を有しているとみなす。
第１の音量系統〜第４の音量系統の各々に対しては８段階の音量調節が可能である
「【０２０９】
　
音量制御手段７３０は、音響制御手段７００で生成された音響制御コマンド（音響制御情報）に基づいて、音量系統情報及び設定音量情報群を参照して音量指示情報を生成し、生成された音量指示情報を含む音量信号を音響装置６１０に出力する
【０２１０】
　本形態では、
音量制御手段７３０は
音量信号生成部７３３で構成されている
の音量系統に対応する設定音量値（音量設定情報）を含んでいる。」
【０２１１】
　
音響装置
６１０
音声制御手段７２０
からの音声信号に応じた音声を
音量制御手段７３０
音声信号生成部７３３
からの音量信号に応じた音量で出力する
【０２１２】
　
音量入力装置６２０は
遊技者によって操作される
音量調節ボタン８１
【０２１３】
　
入力情報検知手段６２１
音量入力装置６２０の操作に応じた入力情報を検知する
「【０２１５】
　
設定音量制御手段７４０は
音量入力装置６２０の操作に応じて
設定音量情報
更新する
「【０２２４】
　次に、
音量調節ボタン８１の左端部又は右端部の押下によって、選択音量系統の候補音量値の選択を行う
【０２２５】
　詳細には、以下の処理を経て、音量表示画像６５２が表示される。入力情報検知手段６２１において、音量調節ボタン８１の左端部の押下が検出され、左端部の押下を表す左押下情報（変更入力情報の一種）がＲＡＭ５５２に保存される。候補音量決定部７４１は、ＲＡＭ５５２に保存された左押下情報を確認した（図２０のＳ１７０１参照）後に、第１の音量系統の候補音量値よりも１だけ小さい
新たな候補音量値が第１の音量系統の音量値の選択範囲内であれば、第１の音量系統の候補音量値を新たな候補音量値に更新する
新たな候補音量値が第１の音量系統の音量値の選択範囲を超える場合には、候補音量値を現在の候補音量値にする
「【０２４４】
　上記においては、候補音量情報の告知を画像表示装置における画像表示で行ったが、音響装置によって特定の音声を候補音量情報に対応する音量で出力することによって候補音量情報を告知してもよい。この場合、図３８に示されたように、
音量告知制御手段７６０は
候補音量情報に対応する音量を決定し、候補音量信号を生成する
候補音声信号を生成する
音響装置６１０では、候補音声信号に応じた音声を候補音量信号に応じた音量で出力する
　上記記載事項を総合すれば、引用文献には以下の発明（以下、「引用発明」という。）が記載されているものと認められる（ａ〜ｉについては本願補正発明のＡ〜Ｉに対応させて付与した。）。
「ａ　上、中、及び下の３箇所に識別情報としての図柄が表示され、これら図柄がスクロールされて可変表示される装飾図柄表示装置４２を備え（【００６１】）、装飾図柄表示装置４２の停止後の確定図柄が予め設定した特定の図柄の組み合せとなった場合に、特別遊技状態が発生する（【００６３】）パチンコ機１０（【００４５】）であって、
ｂ　音声制御手段７２０からの音声信号に応じた音声を音量制御手段７３０の音量信号に応じた音量で出力する音響装置６１０（【０２１０】、【０２１１】）と、
ｃ　遊技者によって操作される音量入力装置６２０の操作に応じた入力情報を検知する入力情報検知手段６２１（【０２１２】、【０２１３】）と、
ｄ　音響制御手段７００で生成された音響制御コマンド（音響制御情報）に基づいて、音量系統情報及び設定音量情報群を参照して音量指示情報を生成し、生成された音量指示情報を含む音量信号を音響装置６１０に出力する音量制御手段７３０（【０２０９】）と、
ｅ　音量入力装置６２０の操作に応じて前記設定音量情報群を更新する設定音量制御手段７４０（【０２１５】）であって、音量入力装置６２０の音量調節ボタン８１の左端部又は右端部の押下によって選択音量系統の候補音量値の選択を行い（【０２１２】、【０２２４】）第１の音量系統〜第４の音量系統の各々に対しては８段階の音量調節が可能である（【０２１９】）設定音量制御手段７４０（【０２１５】）と、
ｆ　前記入力情報検知手段６２１の前記入力情報に基づいて、候補音声信号を生成し、前記入力情報検知手段６２１の前記入力情報に基づいて、前記選択音量系統群に対応する前記候補音量情報を参照して候補音量信号を生成して、前記音響装置６１０に前記候補音声信号に応じた音声を前記候補音量信号に応じた音量で出力させる音量告知手段７６０（【００３３】、【０２４４】）と、
　　を備え、
ｇ　新たな候補音量値が選択音量系統の音量値の選択範囲内であれば、当該音量系統の候補音量値を新たな候補音量値に更新し（【０２２５】）、
ｈ　新たな候補音量値が選択音量系統の音量値の選択範囲を超える場合には、候補音量値を現在の候補音量値にし（【０２２５】）、
ｉ　装飾図柄表示装置４２の表示画面に表示される装飾図柄が変動表示を開始した後、先に停留する図柄の組み合せが同一図柄であって、変動表示が続いている図柄の表示結果如何によっては大当たりとなることを遊技者に示唆して大当たりの図柄の組み合せを遊技者に期待させる表示であるリーチと（【０１１４】）、大当たり抽選に当選した変動表示においては、９個の装飾図柄のうち垂直方向又は斜め方向の一直線上に同一の主図柄が３つ揃って停止するように表示制御装置４５により制御が行われ、遊技者に大当たりの発生が示される（【０１０５】）
　　遊技機。」
（３）対比・判断 
　本願補正発明と引用発明とを対比する。なお、見出し（ａ）〜（ｉ）は、本願補正発明のＡ〜Ｉに対応させている。
 
（ａ）引用発明のａの「識別情報としての図柄が表示され」る「上、中、及び下の３箇所」、「装飾図柄表示装置４２」、「特別遊技状態」及び「パチンコ機１０」は、それぞれ、本願補正発明のＡの「可変表示領域」、「可変表示手段」、「遊技者にとって有利な有利状態」及び「遊技機」に相当する。
　したがって、引用発明の「ａ　上、中、及び下の３箇所に識別情報としての図柄が表示され、これら図柄がスクロールされて可変表示される装飾図柄表示装置４２を備え、装飾図柄表示装置４２の停止後の確定図柄が予め設定した特定の図柄の組み合せとなった場合に、特別遊技状態が発生するパチンコ機１０」は、本願補正発明の「Ａ　識別情報の可変表示が実行される可変表示領域を複数有する可変表示手段を備え、識別情報の組合せとして特定の組合せが表示されたときに、遊技者にとって有利な有利状態に制御可能な遊技機」に相当する。
（ｂ）引用発明のｂの「音声」及び「音響装置６１０」は、本願補正発明のＢの「演出音」及び「演出音出力部」に相当する。
　したがって、引用発明の「ｂ　音声制御手段７２０からの音声信号に応じた音声を音量制御手段７３０からの音量信号に応じた音量で出力する音響装置６１０」は、本願補正発明の「Ｂ　演出音を出力可能な演出音出力部」に相当する。
（ｃ）引用発明の「ｃ　遊技者によって操作される音量入力装置６２０の操作に応じた入力情報を検知する入力情報検知手段６２１」は、本願補正発明の「Ｃ　遊技者の動作を検出する検出手段」に相当する。
（ｄ）引用発明のｄの「音量指示情報を生成し、生成された音量指示情報を含む音量信号を音響装置６１０に出力する」することは、音響装置６１０から出力する音声の音量を設定することといえる。
　したがって、引用発明の「ｄ　音響制御手段７００で生成された音響制御コマンド（音響制御情報）に基づいて、音量系統情報及び設定音量情報群を参照して音量指示情報を生成し、生成された音量指示情報を含む音量信号を音響装置６１０に出力する音量制御手段７３０」は、本願補正発明の「Ｄ　前記演出音出力部から出力する演出音の音量を設定する音量設定手段」に相当する。
（ｅ）引用発明の「ｅ　音量入力装置６２０の操作に応じて」及び「音量入力装置６２０の音量調節ボタン８１の左端部又は右端部の押下によって」とは、いずれも、引用発明のｃの「遊技者による音量入力装置６２０の操作に応じた入力情報を検知する入力情報検知手段６２１」の検知に基づくことは明らかである。
　また、引用発明のｅの「設定音量情報群」が「更新」されれば、引用発明のｄの「設定音量情報群を参照して」「生成された音量指示情報を含む音量信号」が変更されることも明らかである。
　さらに、引用発明のｅの「８段階の音量調節が可能である」ことは、段階的に変更可能といえる。
　したがって、引用発明の「音量入力装置６２０の操作に応じて前記設定音量情報群を更新する設定音量制御手段７４０であって、音量入力装置６２０の音量調節ボタン８１の左端部又は右端部の押下によって選択音量系統の候補音量値の選択を行い第１の音量系統〜第４の音量系統の各々に対しては８段階の音量調節が可能である設定音量制御手段７４０」は、本願補正発明の「Ｅ　前記音量設定手段により設定される音量を前記検出手段による検出に基づいて段階的に変更可能な音量変更手段」に相当する。
（ｆ）引用発明の「前記候補音声信号に応じた音声」及び「音量告知手段７６０」は、本願発明の「確認音」及び「確認音出力手段」に相当する。
　したがって、引用発明の「ｆ　前記入力情報検知手段６２１の前記入力情報に基づいて、候補音声信号を生成する音声決定部と、前記入力情報検知手段６２１の前記入力情報に基づいて、前記選択音量系統群に対応する前記候補音量情報を参照して候補音量信号を生成する音量決定部とを更に有し、前記音響装置６１０に前記候補音声信号に応じた音声を前記候補音量信号に応じた音量で出力させる音量告知手段７６０」は、本願補正発明の「前記検出手段による検出がなされたときに、該検出後に前記音量設定手段により設定される音量に対応する確認音を前記演出音出力部から出力する確認音出力手段」に相当する。
（ｇ）引用発明の「ｇ　新たな候補音量値が当該音量系統の音量値の選択範囲内であれば、当該音量系統の候補音量値を新たな候補音量値に更新」することは、本願補正発明の「Ｇ　前記音量設定手段は所定範囲内において音量を設定可能であ」ることに相当する。
（ｈ）引用発明の「ｈ　新たな候補音量値が当該音量系統の音量値の選択範囲を超える場合には、候補音量値を現在の候補音量値にする」ことは、これに伴い引用発明のｆの「音量告知手段７６０」が「前記音響装置６１０に、前記候補音声信号に応じた音声を前記候補音量信号に応じた音量で出力させる」ことは明らかであるから、本願補正発明の「Ｈ　前記確認音出力手段は、前記音量設定手段により設定される音量が所定範囲の限界にある場合において、当該音量を所定範囲外へ変更する動作が検出されたときには所定範囲の限界の音量に対応した確認音を出力」することに相当する。
（ｉ）引用発明の「ｉ　装飾図柄表示装置４２の表示画面に表示される装飾図柄が変動表示を開始した後、先に停留する図柄の組み合せが同一図柄であって、変動表示が続いている図柄の表示結果如何によっては大当たりとなることを遊技者に示唆して大当たりの図柄の組み合せを遊技者に期待させる表示であるリーチと、大当たり抽選に当選した変動表示においては、９個の装飾図柄のうち垂直方向又は斜め方向の一直線上に同一の主図柄が３つ揃って停止するように表示制御装置４５により制御が行われ、遊技者に大当たりの発生が示される」ことは、技術常識に照らせば、装飾図柄表示装置４２の表示画面のうち、２番目に変動を停止する領域における停止表示によりリーチ状態に制御されるか否かを報知し、最後に変動を停止する領域における停止表示により大当たりが発生するか否かを報知することは明らかであって、２番目に変動を停止する領域を第１領域、最後に変動を停止する領域第２領域とみれば、本願補正発明の「Ｉ　前記複数の可変表示領域のうち第１領域における停止表示によりリーチ状態に制御されるか否かを報知し、第２領域における停止表示により前記有利状態に制御されるか否かを報知することが可能である」ことに相当する。
　そうすると、両者は、 
「Ａ　識別情報の可変表示が実行される可変表示領域を複数有する可変表示手段を備え、識別情報の組合せとして特定の組合せが表示されたときに、遊技者にとって有利な有利状態に制御可能な遊技機であって、
Ｂ　演出音を出力可能な演出音出力部と、
Ｃ　遊技者の動作を検出する検出手段と、
Ｄ　前記演出音出力部から出力する演出音の音量を設定する音量設定手段と、
Ｅ　前記音量設定手段により設定される音量を前記検出手段による検出に基づいて段階的に変更可能な音量変更手段と、
Ｆ　前記検出手段による検出がなされたときに、該検出後に前記音量設定手段により設定される音量に対応する確認音を前記演出音出力部から出力する確認音出力手段と、
　を備え、
Ｇ　前記音量設定手段は所定範囲内において音量を設定可能であり、
Ｈ　前記確認音出力手段は、前記音量設定手段により設定される音量が所定範囲の限界にある場合において、当該音量を所定範囲外へ変更する動作が検出されたときには所定範囲の限界の音量に対応した確認音を出力し、
Ｉ　前記複数の可変表示領域のうち第１領域における停止表示によりリーチ状態に制御されるか否かを報知し、第２領域における停止表示により前記有利状態に制御されるか否かを報知することが可能である、
　　遊技機。」 
である点で一致し、相違点はない。
　したがって、本願補正発明は、引用文献に記載された発明であるから、特許法２９条第１項第３号に該当し、特許出願の際独立して特許を受けることができないものである。
　仮に、本願補正発明と引用発明との間に相違点があったとしても、本願補正発明は、引用発明に基づいて、当業者が容易に発明をすることができたものであるから、特許法第２９条第２項の規定により、特許出願の際独立して特許を受けることができないものである。
（４）請求人の主張について
　請求人は、審判請求書において、本願補正発明は、識別情報の可変表示が実行される可変表示領域を複数有する可変表示手段を備え、識別情報の組合せとして特定の組合せが表示されたときに、遊技者にとって有利な有利状態に制御可能な遊技機であって、複数の可変表示領域のうち第１領域における停止表示によりリーチ状態に制御されるか否かを報知し、第２領域における停止表示により有利状態に制御されるか否かを報知することが可能、すなわち、可変表示手段における第１領域および第２領域は、いずれも有利状態に制御するための表示結果を表示する、同一種類の識別情報の可変表示を行う領域であり、第１領域における停止表示によりリーチ状態に制御されるか否かを、そして第２領域における停止表示により有利状態に制御されるか否かを報知することが可能であるのに対し、引用文献には、普通図柄の可変表示と、特別図柄や装飾図柄の可変表示と、で報知対象を異なるものとしていることや、上段と下段とで異なる種類の図柄が停止表示されることが開示されているに過ぎず、一の種類の識別情報の可変表示が行われる可変表示手段において、第１領域ではリーチ状態に制御されることを、第２領域では有利状態に制御されることを、といったように、それぞれの領域で異なる期待感を報知することについては開示がなく、本願補正発明は、遊技者がリーチの成立や大当りとなることを簡単に把握することができ、遊技興趣を向上させることができる、といった効果を奏することができ、よって、引用文献に記載の発明ではなく、引用文献に記載の発明に基づいて容易に発明をすることができたものでもない旨主張する。 
　しかしながら、上記（ｉ）で検討したように、引用発明は、その構成ｉにより、装飾図柄表示装置４２の表示画面のうち、２番目に変動を停止する領域における停止表示によりリーチ状態に制御されるか否かを報知し、最後に変動を停止する領域における停止表示により大当たりが発生するか否かを報知することは明らかであるから、本願補正発明の「Ｉ　前記複数の可変表示領域のうち第１領域における停止表示によりリーチ状態に制御されるか否かを報知し、第２領域における停止表示により前記有利状態に制御されるか否かを報知することが可能である」構成を有するものといえ、請求人の主張は採用できない。
　なお、請求人は、審判請求書において、本願補正発明の「前記複数の可変表示領域のうち第１領域における停止表示によりリーチ状態に制御されるか否かを報知し、第２領域における停止表示により前記有利状態に制御されるか否かを報知することが可能である」ことは、段落【０２０３】の「画像表示装置５に設けられた「左」、「中」、「右」の飾り図柄表示エリア５Ｌ，５Ｃ，５Ｒのうち、「左」の飾り図柄表示エリア５Ｌに停止表示される図柄の種類によりリーチが成立するか否かを遊技者に報知し、「右」の飾り図柄表示エリア５Ｒに停止表示される図柄の種類により大当りか否かを遊技者に報知し、「中」の飾り図柄表示エリア５Ｃに停止表示される図柄の種類により確変大当りか否かを遊技者に報知する。」の記載を根拠としている旨主張している。
　そこで、仮に、本願補正発明に「前記複数の可変表示領域のうち」「第１領域」が最初に「停止表示」される「左」の飾り図柄表示エリア５Ｌであり、「第２領域」が２番目に「停止表示」される「右」の飾り図柄表示エリア５Ｒであるとの限定を付加する更なる補正が行われた場合に特許性を有するか否かを検討するに、この点は、本願の出願前に頒布された刊行物である特開２０１４−９０７９３号公報（下線は当審で付した。）に
「【００７２】
　図９（１）に示すように、
全ての図柄列が画像表示部６に変動表示された後に
左図柄列が停止表示される
画像表示部６の中央線上に小図柄が停止表示されることによってリーチにならなかったこと（リーチ不成立）が報知される
【００７３】
　図１０（１）に示すように、
全ての図柄列が画像表示部６に変動表示された後に
左図柄列が停止表示される
画像表示部６の中央線上に大図柄が停止表示されることによってリーチになったこと（リーチ成立）が報知される。その後、特別図柄抽選でハズレている場合には
右図柄列において、中央線上で停止した左図柄列の大図柄の数字
とは異なる数字
の図柄（小図柄又は大図柄）が中央線上で停止することによって、特別図柄抽選でハズレたことが報知される
【００７４】
　図１１は、本実施形態に係る大当り遊技後の遊技状態の報知の例について説明するための図である。以下では、図１１を用いて特別図柄抽選に当選した場合における大当り遊技後の遊技状態の報知について説明する。図１１（１）に示すように、
全ての図柄列が画像表示部６に変動表示された後に
画像表示部６の中央線上に左図柄列の大図柄
が停止表示されることによってリーチになったこと（リーチ成立）が報知される。その後、特別図柄抽選に当選している場合には
右図柄列において、中央線上で停止した左図柄列の大図柄の数字と同じ数字
の図柄
が中央線上で停止することによって、特別図柄抽選で当選したことが報知される
と記載されているように公知技術であり、遊技の興趣向上のため引用発明に上記公知技術を適用することは、当業者が容易になし得るものである。
　したがって、仮に、本願請求項補正発明に「前記複数の可変表示領域のうち」「第１領域」が最初に「停止表示」される「左」の飾り図柄表示エリア５Ｌであり、「第２領域」が２番目に「停止表示」される「右」の飾り図柄表示エリア５Ｒであるとの限定を付加する更なる補正が行われた場合でも、特許性を生じるものではないから、請求人に更なる補正の機会を付与することはしない。
（５）本件補正についてのむすび 
　以上より、本件補正は、特許法第１７条の２第６項において準用する同法第１２６条第７項の規定に違反するので、同法第１５９条第１項において読み替えて準用する同法第５３条第１項の規定により却下すべきものである。
　よって、上記補正の却下の決定の結論のとおり決定する。
第３　本願発明について
１　本願発明 
　本件補正は、上記のとおり却下されたので、本願の請求項１に係る発明は、平成２８年１２月２日にされた手続補正により補正された特許請求の範囲の請求項１に記載された事項により特定されるものであるところ、その請求項１に係る発明（以下「本願発明」という。）は、前記第２［理由］１の（本件補正前）に記載のとおりのものである。
２　原査定の拒絶理由
　原査定の拒絶の理由のうち、請求項１に係るものは、
（新規性）この出願の請求項１に係る発明は、その出願前に頒布された以下の引用文献に記載された発明であるから、特許法第２９条第１項第３号に該当し、特許を受けることができない。
（進歩性）この出願の請求項１に係る発明は、その出願前に頒布された以下の引用文献に記載された発明に基づいて、その出願前にその発明の属する技術の分野における通常の知識を有する者が容易に発明をすることができたものであるから，特許法第２９条第２項の規定により特許を受けることができない。
というものである。
　引用文献：特開２００７−８９６４９号公報
　
３　引用文献 
　原査定の拒絶の理由で引用された引用文献の記載事項は、前記第２［理由］２（２）に記載したとおりである。
４　対比・判断 
　本願発明は、前記第２の［理由］２で検討した本願補正発明の発明特定事項である「前記複数の可変表示領域のうち第１領域における停止表示」と「第２領域における停止表示」とが「可能」な「報知」に関して、「第１領域における停止表示によりリーチ状態に制御されるか否かを報知し、第２領域における停止表示により前記有利状態に制御されるか否かを報知することが可能」なものから、「第１領域における停止表示と第２領域における停止表示とは異なる対象に対する報知が可能」なものへと上位概念化したものである。
　そうすると、本願発明の下位概念化した本願補正発明が、前記第２［理由］２（３）に記載したとおり、引用文献に記載された発明であるから、本願発明も、引用文献に記載された発明である。
　また、仮に、本願発明と引用発明との間に相違点があったとしても、本願発明は、引用発明に基づいて当業者が容易に発明をすることができたものである。
第４　むすび
　以上のとおり、本願発明は、特許法第２９条第１項第３号に該当し特許を受けることができない、または、特許法第２９条第２項の規定により特許を受けることができないから、他の請求項に係る発明について検討するまでもなく、本願は拒絶されるべきものである。
　よって、結論のとおり審決する。